(57)【要約】【課題】  建物の入隅部に内壁パネルの一端側を固定する入隅部用内壁パネル固定金具において、内壁パネルの仕上がり状態を確認しながらその位置を微調整可能とする手段を提供する。【解決手段】  本入隅部用内壁パネル固定金具１は、互いに直交する一対の平板部４Ｌ，４Ｒと、該各平板部４Ｌ，４Ｒとの間にコーナー添柱７２の開口７１を挟んだ左右のリップ部９６Ｌ，９６Ｒをそれぞれ挟持する左右一対の挟持片６Ｌ，６Ｒと、少なくとも一方の平板部４Ｌ，４Ｒから突設され丸穴１０及び水平方向に延びる長穴１１が貫通形成されてなる内壁パネル受け片５Ｌ，５Ｒと、一端側が一方の平板部４Ｌにその屋内側面から螺合され屋外側面から突出した他端側がコーナー添柱７２と一方の軸組７５の間隙７３に挿入される固定ボルト３と、を具備するものである。【選択図】  図１
2006070498.tif 000002
【特許請求の範囲】
【請求項１】
断面矩形の一隅部が開口された当該一隅部を屋内側に向けて立設されたコーナー添柱と、前記開口する一隅部と対向する隅部を間に挟んで前記コーナー添柱と間隙を開けて互いに直交するように配設された一対の軸組と、からなる建物の入隅部に、矩形に枠組みされた内壁枠に断熱材が取り付けられてなる内壁パネルの一端側を固定する入隅部用内壁パネル固定金具であって、
互いに直交する一対の平板部と、該各平板部との間に前記コーナー添柱の開口を挟んだ左右のリップ部をそれぞれ挟持する左右一対の挟持片と、少なくとも一方の平板部の屋内側面から突設され丸穴及び水平方向に延びる長穴が貫通形成されてなる内壁パネル受け片と、一端側が一方の平板部にその屋内側面から螺合され屋外側面から突出した他端側が前記コーナー添柱と一方の軸組の間隙に挿入される固定ボルトと、を具備することを特徴とする入隅部用内壁パネル固定金具。
【請求項２】
前記一対の平板部のうち他方の平板部に、前記コーナー添柱の他方の軸組側の面に嵌着する嵌着片が設けられたことを特徴とする請求項１に記載の入隅部用内壁パネル固定金具。
【請求項３】
断面矩形の一隅部が開口された当該一隅部を屋内側に向けて立設されたコーナー添柱と、前記開口する一隅部と対向する隅部を間に挟んで前記コーナー添柱と間隙を開けて互いに直交するように配設された一対の軸組と、からなる建物の入隅部に、矩形に枠組みされた内壁枠に断熱材が取り付けられてなる内壁パネルの一端側を固定する入隅部における内壁パネルの固定構造であって、
互いに直交する一対の平板部と、該各平板部と隙間を開けて設けられた左右一対の挟持片と、少なくとも一方の平板部の屋内側面から突設され丸穴及び水平方向に延びる長穴が貫通形成されてなる内壁パネル受け片と、一方の平板部にその屋内側面から螺合された固定ボルトと、を具備してなる入隅部用内壁パネル固定金具が、前記各挟持片と前記各平板部との間に前記コーナー添柱の開口を挟んだ左右のリップ部をそれぞれ挟持し且つ前記一方の平板部の屋外側面から突出した前記固定ボルトの軸部を前記コーナー添柱と一方の軸組の間隙に挿入して取り付けられ、前記内壁パネルが、その内壁枠を前記内壁パネル受け片に当接させて建て込まれるとともに前記内壁パネル受け片の長穴から前記内壁枠に対して仮固定釘が打ち込まれることにより水平方向に移動可能に仮固定され、所定位置まで移動された前記内壁パネルの内壁枠に対して前記内壁パネル受け片の丸穴から本固定釘が打ち込まれたことを特徴とする入隅部における内壁パネルの固定構造。
【請求項４】
前記一対の平板部のうち他方の平板部の屋外側面から嵌着片が突設され、該嵌着片が前記コーナー添柱の他方の軸組側の面に嵌着されたことを特徴とする請求項３に記載の入隅部における内壁パネルの固定構造。
【発明の詳細な説明】
【技術分野】
【０００１】
本発明は、住宅等の建物の入隅部において内壁パネルの一端側を建物躯体に固定する入隅部用内壁パネル固定金具に関し、特に、入隅部の仕上がり状態に応じて内壁パネルの位置を微調整しながら固定作業を行うことができる入隅部用内壁パネル固定金具に関する。
【背景技術】
【０００２】
従来、住宅等の建物における内壁部は、柱や軸組等からなる建物躯体の内側に内壁パネルを順次取り付けることで構成される。この内壁パネルの建物躯体への取り付けは、内壁パネルの両端部を固定金具を用いて建物躯体にそれぞれ固定することにより行うのが一般的である。ここで、内壁パネルの一端側が建物の入隅部である場合、入隅部に立設されたコーナー添柱に固定金具が取り付けられ、該固定金具によって内壁パネルの一端部がコーナー添柱に押し当てて固定される。図１０は、従来例に係る建物の入隅部７０の構造を示す概略平面図である（特許文献１参照）。図に示すように、入隅部７０は、リップ山形鋼がその開口７１を屋内側に向けて立設されたコーナー添柱７２、及び該コーナー添柱７２と間隙７３，７４を開けて互いに直交するように配設された一対の軸組７５，７６からなる建物躯体７７と、該建物躯体７７の屋内側に互いに直交するように建て込まれた一対の内壁パネル７８，７９と、各内壁パネル７８，７９をコーナー添柱７２にそれぞれ固定する入隅部用内壁パネル固定金具８０と、から構成されている。
【０００３】
前記一対の軸組７５，７６は、図に詳細は示さないが、リップ溝形鋼からなる左右一対の軸柱８１と、該軸柱８１に直交する上下一対の軸桟とが略矩形に枠組みされ、その内部に、補強のための中柱や中桟やＸ字状の耐力ブレース等が設けられてなるものである。このように構成される一対の軸組７５，７６が、図１０に示すように、コーナー添柱７２と所定間隔の間隙７３，７４を開けてそれぞれ配置され、軸柱８１とコーナー添柱７２とが図示しないボルト等により固定されている。
【０００４】
前記内壁パネル７８，７９は、図１１に示すように、左右一対の縦桟８２の間に複数の横桟８３が架設されることで矩形に枠組みされた内壁枠８４と、該内壁枠８４の縦桟８２及び横桟８３によって囲まれる空間８５に充填された合成樹脂断熱材８６と、内壁枠８４の屋外側面を覆うようにして設けられた易変形断熱材８７と、内壁枠８４の屋内側面全体に貼設された防湿シート８８と、を具備してなるものである。
【０００５】
内壁枠８４を構成する縦桟８２及び横桟８３は、木製の角材からなり、図１０に示すように、縦桟８２には、その屋外側面と側端面とが交差して形成される隅部に切欠き８９が形成されている。この切欠き８９は、図に詳細は示さないが、内壁パネル７８，７９を軸組に固定するための内壁パネル固定金具を配設するために設けられている。すなわち、図に詳細は示さないが、内壁パネル７８，７９における入隅部７０と逆側の端部では、相隣接する内壁パネルの切欠き８９が向かい合うことで空隙が形成され、該空隙の内部に内壁パネル固定金具を収容するようにして配設するものとなっている。
【０００６】
合成樹脂断熱材８６は、ポリスチレン、フェノール樹脂等の合成樹脂の発泡体からなるものであり、一般的に断熱材として用いられるグラスウールやロックウール等より高い断熱性能を有する一方、押圧による変形はグラスウール等ほど大きくなく、柔軟性は劣る。この合成樹脂断熱材８６は、図１１に示すように、内壁枠８４の縦桟８２及び横桟８３によって囲まれる空間８５と略等しい大きさの矩形に裁断され、その厚みは内壁枠８４と同程度である。この合成樹脂断熱材８６が、前記空間８５に嵌め込まれ、内壁枠８４に両面テープ等により固定されている。
【０００７】
易変形断熱材８７は、例えばグラスウール、ロックウール等の繊維状のものであり、押圧を受けることにより容易に変形可能なものである。この易変形断熱材８７は、予め、内壁枠８４に合わせて適度な大きさに裁断され、繊維が解けたりしないように袋体に詰められている。この易変形断熱材８７の厚みは、内壁枠８４の厚みより大きいものが好ましい。このように構成される易変形断熱材８７が、図１１に示すように、タッカ−９０を用いて横桟８３に固定されている。ここで、内壁パネル７８，７９の一端側が入隅部７０であるため、図１０に示すように、易変形断熱材８７の入隅部７０側の端部は、建物躯体７７との干渉を考慮して、縦桟８２より内側に後退させて取り付けられている。
【０００８】
前記入隅部用内壁パネル固定金具８０は、図１２に示すように、断面Ｌ字形状に曲折されてなる金具本体９１の一方の板部９２が切り起こされて挟持片９３が形成されるとともに、他方の板部９４に円弧状の引き寄せ誘導溝９５が形成されてなるものである。この入隅部用内壁パネル固定金具８０を、図１０に示すように、挟持片９３と一方の板部９２の間でコーナー添柱７２の一方のリップ部９６Ｌを挟持させるようにして仮固定する。そして、内壁パネル７８を、縦桟８２の切欠き８９を金具本体９１の他方の板部９４に当接させるようにして建て込み、引き寄せ誘導溝９５から案内用釘Ｋを打ち込む。その上で、金具本体９１をハンマーで叩いてリップ部９６Ｌに沿って下方に移動させると、案内用釘Ｋが引き寄せ誘導溝９５に案内されることにより、内壁パネル７８が屋外側へ引き寄せられる。これにより、内壁パネル７８は、コーナー添柱７２のリップ部９６Ｌ及び軸組７５に密着されて強固に固定されるものとなっている。また、これと同様にして、コーナー添柱７２の他方のリップ部９６Ｒに別個取り付けた入隅部用内壁パネル固定金具８０によって、内壁パネル７９をコーナー添柱７２のリップ部９６Ｒ及び軸組７６に密着させて固定している。
【０００９】
【特許文献１】特開平１０−２５２１８９号公報
【発明の開示】
【発明が解決しようとする課題】
【００１０】
しかし、従来の入隅部用内壁パネル固定金具８０によれば、各内壁パネル７８，７９がコーナー添柱７２及び軸組７５，７６に押し当てて固定されるため、内壁パネル７８，７９の仕上がり状態、例えば、各内壁パネル７８，７９の垂直な立ち具合を表す「建ち」や、各内壁パネルが一直線に並んでいる度合いを表す「通り」は、主としてコーナー添柱７２や軸組７５，７６の寸法精度や取付精度等に依存するものとなっている。従って、入隅部７０の施工後の建ちや通りを確認した結果、予め定められた基準値以内に入っていない場合、この誤差を修正すべく内壁パネル７８，７９の位置を微調整する手段としては、内壁枠８４と軸組７５，７６との間に図示しない木片を挟んだり、内壁枠８４を削る方法等が用いられている。しかし、このような調整作業は、施工能率を低下させ、また、高い精度を出すためには作業者の熟練が必要とされる、という問題がある。
【００１１】
本発明は、このような問題に鑑みてなされたものであり、建物の入隅部に内壁パネルの一端側を固定する入隅部用内壁パネル固定金具において、内壁パネルの仕上がり状態を確認しながらその位置を微調整可能とする手段を提供する。
【課題を解決するための手段】
【００１２】
上記目的を達成するための請求項１の発明は、断面矩形の一隅部が開口された当該一隅部を屋内側に向けて立設されたコーナー添柱と、前記開口する一隅部と対向する隅部を間に挟んで前記コーナー添柱と間隙を開けて互いに直交するように配設された一対の軸組と、からなる建物の入隅部に、矩形に枠組みされた内壁枠に断熱材が取り付けられてなる内壁パネルの一端側を固定する入隅部用内壁パネル固定金具であって、互いに直交する一対の平板部と、該各平板部との間に前記コーナー添柱の開口を挟んだ左右のリップ部をそれぞれ挟持する左右一対の挟持片と、少なくとも一方の平板部の屋内側面から突設され丸穴及び水平方向に延びる長穴が貫通形成されてなる内壁パネル受け片と、一端側が一方の平板部にその屋内側面から螺合され屋外側面から突出した他端側が前記コーナー添柱と一方の軸組の間隙に挿入される固定ボルトと、を具備するものである。
【００１３】
請求項２の発明は、前記一対の平板部のうち他方の平板部に、前記コーナー添柱の他方の軸組側の面に嵌着する嵌着片が設けられたものである。
【００１４】
請求項３の発明は、断面矩形の一隅部が開口された当該一隅部を屋内側に向けて立設されたコーナー添柱と、前記開口する一隅部と対向する隅部を間に挟んで前記コーナー添柱と間隙を開けて互いに直交するように配設された一対の軸組と、からなる建物の入隅部に、矩形に枠組みされた内壁枠に断熱材が取り付けられてなる内壁パネルの一端側を固定する入隅部における内壁パネルの固定構造であって、互いに直交する一対の平板部と、該各平板部と隙間を開けて設けられた左右一対の挟持片と、少なくとも一方の平板部の屋内側面から突設され丸穴及び水平方向に延びる長穴が貫通形成されてなる内壁パネル受け片と、一方の平板部にその屋内側面から螺合された固定ボルトと、を具備してなる入隅部用内壁パネル固定金具が、前記各挟持片と前記各平板部との間に前記コーナー添柱の開口を挟んだ左右のリップ部をそれぞれ挟持し且つ前記一方の平板部の屋外側面から突出した前記固定ボルトの軸部を前記コーナー添柱と一方の軸組の間隙に挿入して取り付けられ、前記内壁パネルが、その内壁枠を前記内壁パネル受け片に当接させて建て込まれるとともに前記内壁パネル受け片の長穴から前記内壁枠に対して仮固定釘が打ち込まれることにより水平方向に移動可能に仮固定され、所定位置まで移動された前記内壁パネルの内壁枠に対して前記内壁パネル受け片の丸穴から本固定釘が打ち込まれたものである。
【００１５】
請求項４の発明は、前記一対の平板部のうち他方の平板部の屋外側面から嵌着片が突設され、該嵌着片が前記コーナー添柱の他方の軸組側の面に嵌着されたものである。
【発明の効果】
【００１６】
本発明の請求項１に係る入隅部用内壁パネル固定金具によれば、互いに直交する一対の平板部と、該各平板部との間にコーナー添柱の開口を挟んだ左右のリップ部をそれぞれ挟持する左右一対の挟持片と、少なくとも一方の平板部の屋内側面から突設され丸穴及び水平方向に延びる長穴が貫通形成されてなる内壁パネル受け片と、一端側が一方の平板部にその屋内側面から螺合され屋外側面から突出した他端側がコーナー添柱と一方の軸組の間隙に挿入される固定ボルトと、を具備したので、各挟持片と各平板部との間にコーナー添柱の左右のリップ部をそれぞれ挟持することに加え、固定ボルトで一方の平板部をコーナー添柱のリップ部及び軸組に押圧することにより、入隅部用内壁パネル固定金具を建物躯体に確実に固定することができる。また、内壁パネル受け片の長穴から内壁パネルの内壁枠に仮固定釘を打ち込んで内壁パネルを仮固定した上で、その仕上がり状態に応じて内壁パネルの位置を微調整しながら、所望の位置で、内壁パネル受け片の丸穴に本固定釘を打ち込んで内壁パネルを本固定することができる。これにより、入隅部において高い精度の仕上がりを達成することができる。
【００１７】
また、本発明の請求項２に係る入隅部用内壁パネル固定金具によれば、一対の平板部のうち他方の平板部に、コーナー添柱の他方の軸組側の面に嵌着する嵌着片が設けられたので、入隅部用内壁パネル固定金具を建物躯体により確実に固定することができる。
【００１８】
また、本発明の請求項３に係る入隅部における内壁パネルの固定構造によれば、互いに直交する一対の平板部と、該各平板部と隙間を開けて設けられた左右一対の挟持片と、少なくとも一方の平板部の屋内側面から突設され丸穴及び水平方向に延びる長穴が貫通形成されてなる内壁パネル受け片と、一方の平板部にその屋内側面から螺合された固定ボルトと、を具備してなる入隅部用内壁パネル固定金具が、各挟持片と各平板部との間にコーナー添柱の開口を挟んだ左右のリップ部をそれぞれ挟持し且つ一方の平板部の屋外側面から突出した固定ボルトの軸部をコーナー添柱と一方の軸組の間隙に挿入して取り付けられ、内壁パネルが、その内壁枠を内壁パネル受け片に当接させて建て込まれるとともに内壁パネル受け片の長穴から内壁枠に対して仮固定釘が打ち込まれることにより水平方向に移動可能に仮固定され、所定位置まで移動された内壁パネルの内壁枠に対して内壁パネル受け片の丸穴から本固定釘が打ち込まれたので、内壁パネル受け片の長穴から内壁パネルの内壁枠に仮固定釘を打ち込んで内壁パネルを仮固定した上で、その仕上がり状態に応じて内壁パネルの位置を微調整しながら、所望の位置で内壁パネルを本固定することができる。これにより、入隅部において高い精度の仕上がりを達成することができる。
【００１９】
また、本発明の請求項４に係る入隅部における内壁パネルの固定構造によれば、一対の平板部のうち他方の平板部の屋外側面から嵌着片が突設され、該嵌着片がコーナー添柱の他方の軸組側の面に嵌着されたので、入隅部用内壁パネル固定金具を建物躯体により確実に固定することができる。
【実施例】
【００２０】
以下、本発明の第１実施例に係る入隅部用内壁パネル固定金具、及び建物の入隅部における内壁パネルの固定構造について図面に基づいて説明する。図１に示すように、本実施例に係る入隅部Ｉ１は、断面矩形の一隅部が開口されてなるいわゆるリップ山形鋼がその開口７１を屋内側に向けて立設されたコーナー添柱７２及び前記開口する一隅部と対向する隅部を間に挟んで前記コーナー添柱７２と間隙７３，７４を開けて互いに直交するように配設された一対の軸組７５，７６から構成される建物躯体７７と、該建物躯体７７の屋内側に互いに直交するように建て込まれ木製の内壁枠８４を有する一対の内壁パネル７８，７９と、各内壁パネル７８，７９を建物躯体７７に固定する入隅部用内壁パネル固定金具１と、を備えてなるものである。尚、建物躯体７７及び内壁パネル７８，７９は従来例に係る入隅部７０と同じ構成である。従って、これらについては従来例と同じ符号を付し、ここでは説明を省略する。
【００２１】
入隅部用内壁パネル固定金具１は、図２に示すように、１枚の鋼板を打ち抜き及び曲折加工して形成された金具本体２と、該金具本体２に直交するように螺合された固定ボルト３と、を具備してなるものである。
【００２２】
前記金具本体２は、図２に示すように、互いに直交する一対の平板部４Ｌ，４Ｒと、該各平板部４Ｌ，４Ｒから略９０°の角度をなしてその屋内側面に突設された内壁パネル受け片５Ｌ，５Ｒと、各平板部４Ｌ，４Ｒの最上部から側方へ突出して設けられた一対の挟持片６Ｌ，６Ｒと、平板部４Ｒの先端からその屋外側面方向に延出して形成された嵌着片７と、を備えている。尚、本発明において平板部４Ｌ，４Ｒの屋内側面・屋外側面とは、入隅部用内壁パネル固定金具１をコーナー添柱７２に取り付けた状態における屋内側の面・屋外側の面を意味している。
【００２３】
平板部４Ｌ，４Ｒは、図２に示すように、鋼板を曲折線８で略９０°曲折することによりそれぞれ形成されたものであり、各平板部４Ｌ，４Ｒは、その基端部すなわち曲折線８側の端部が、先端部より幅広とされることにより、厚肉のＬ字形状となっている。平端部４Ｒの長さは、コーナー添柱７２の幅より若干大きい程度であり、平板部４Ｌの長さは、平板部４Ｒより大きく形成されている。これにより、図１に示すように、入隅部用内壁パネル固定金具１をコーナー添柱７２に取り付けた時に、平板部４Ｒの先端は間隙７４に達し、平板部４Ｌの先端は間隙７３を越えて軸組７５の屋内側面に当接するものとなっている。また、平板部４Ｌの先端部には、前記固定ボルト３を螺合するためのネジ穴９が形成されている。このネジ穴９は、平板部４Ｌに対してその屋内側面からバーリング加工を行い、その上でタッピングを行うことにより形成されている。
【００２４】
内壁パネル受け片５Ｌ，５Ｒは、図２に示すように、前記平板部４Ｌ，４Ｒの一部を屋内側面方向に略９０°切り起こして形成したものである。この内壁パネル受け片５Ｌ，５Ｒは、略矩形の形状を有し、その上隅部には、後述する本固定釘ＨＫと略同径の丸穴１０が形成されている。また、該丸穴１０の下方には、後述する仮固定釘ＫＫの径と略等しい幅を有する長穴１１が、水平方向に沿って形成されている。この長穴１１の長さは、内壁パネル７８，７９の位置調整に際しその移動可能距離を決定するものとして適宜設定している。尚、内壁パネル受け片５Ｌ，５Ｒの外形や、丸穴１０及び長穴１１を形成する位置は、本実施例に限られず適宜設計変更が可能である。また、本実施例では、内壁パネル受け片５Ｌ，５Ｒを各平板部４Ｌ，４Ｒそれぞれから突設しているが、いずれか一方の平板部４Ｌ，４Ｒにのみ内壁パネル受け片５Ｌ，５Ｒを突設した構成とすることも可能である。
【００２５】
挟持片６Ｌ，６Ｒは、図２に示すように、前記各平板部４Ｌ，４Ｒの最上部から該平板部４Ｌ，４Ｒと略９０°の角度をなして屋内側面方向に延出され、第１折返し線１２において平板部４Ｌ，４Ｒ側に折り返されるとともに、第２折返し線１３において平板部４Ｌ，４Ｒと逆側に折り返されて形成されたものである。ここで、挟持片６Ｌ，６Ｒと平板部４Ｌ，４Ｒの離間距離は、最も小さい位置においてコーナー添柱７２のリップ部９６Ｌ，９６Ｒの厚みより小さくなっている。従って、挟持片６Ｌ，６Ｒと平板部４Ｌ，４Ｒの間にコーナー添柱７２のリップ部９６Ｌ，９６Ｒが狭入されると、挟持片６Ｌ，６Ｒはリップ部９６Ｌ，９６Ｒの厚みに応じて平板部４Ｌ，４Ｒから離れる方向へ弾性変形し、元の形状に復帰しようとする力により、挟持片６Ｌ，６Ｒにおける第２折返し線１３の近傍部分が、リップ部９６Ｌ，９６Ｒの内側面に押圧される。これにより、挟持片６Ｌ，６Ｒは、平板部４Ｌ，４Ｒとの間にリップ部９６Ｌ，９６Ｒを挟持することが可能となっている。
【００２６】
嵌着片７は、図２に示すように、平板部４Ｒの先端から該平板部４Ｒと鋭角をなして屋外側面方向に延出され、第３折返し線１４において逆側に折り返されることにより、平面視で略くの字型に形成されたものである。このように構成される嵌着片７と平板部４Ｒが、コーナー添柱７２の角部を覆うようにして取り付けられることにより、平板部４Ｒと鋭角をなす嵌着片７はその角度が拡開されるようにして弾性変形し、元の形状に復帰しようとする力により、嵌着片７における第３折返し線１４の近傍部分がコーナー添柱７２に押圧される。これにより、嵌着片７は、コーナー添柱７２の外側面に嵌着することが可能となっている。
【００２７】
前記固定ボルト３は、図２に示すように、前記平板部４Ｌのネジ穴９より大径の頭部１５と、全長に渡ってネジが形成された軸部１６とを具備してなるものである。この頭部１５には、プラスドライバＰＤを差し込むための十字型の溝１７が形成されている。また、軸部１６の径は、コーナー添柱７２と軸組７５の間隙７３の幅より若干小さくなっている。このように構成される固定ボルト３が、平板部４Ｌの屋内側面からネジ穴９に螺合されている。これにより、固定ボルト３を右回転させて、頭部１５が平板部４Ｌに当接するまでねじ込むことで、図１に示すように、平板部４Ｌがコーナー添柱７２のリップ部９６Ｌ及び軸組７５に押圧固定され、入隅部用内壁パネル固定金具１がコーナー添柱７２から脱落するのを防止することができる。
【００２８】
尚、本実施例では、金具本体２の平板部４Ｒの先端に嵌着片７を設け、平板部４Ｌに固定ボルト３を螺合させているが、これとは逆に、平板部４Ｒに固定ボルト３を螺合させ、平板部４Ｌの先端に嵌着片７を設けて、固定ボルト３を間隙７４に挿入するとともに、嵌着片７を間隙７３から差し込んでコーナー添柱７２の外側面に嵌着させることももちろん可能である。
【００２９】
以下、第１実施例に係る入隅部の施工手順について説明する。まず、入隅部用内壁パネル固定金具１をコーナー添柱７２に取り付ける。すなわち、図３に示すように、入隅部用内壁パネル固定金具１を、平板部４Ｌを下にして保持し、挟持片６Ｒと平板部４Ｒの間にコーナー添柱７２のリップ部９６Ｒを滑り込ませるようにすることで、挟持片６Ｒをリップ部９６Ｒの内側面に当接させる。この状態から、挟持片６Ｒとリップ部９６Ｒの接触点を支点として、入隅部用内壁パネル固定金具１をコーナー添柱７２側に押し込むようにして時計回りに回転させる。そして、挟持片６Ｌと平板部４Ｌの間にリップ部９６Ｌを滑り込ませるようにして、挟持片６Ｌをリップ部９６Ｌの内側面に当接させる。これにより、挟持片６Ｒと平板部４Ｒの間にリップ部９６Ｒが、挟持片６Ｌと平板部４Ｌの間にリップ部９６Ｌがそれぞれ挟持され、入隅部用内壁パネル固定金具１が左右のリップ９６Ｌ，９６Ｒ間に取り付けられる。また、入隅部用内壁パネル固定金具１を若干回転させた時に、嵌着片７を持って外側に若干拡開させながら、その先端部を間隙７４の内部に入れ込んでおく。これにより、入隅部用内壁パネル固定金具１の回転に従って嵌着片７は間隙７４の奥へと差し込まれ、コーナー添柱７２の外側面に嵌着されるものとなっている。
【００３０】
次に、入隅部用内壁パネル固定金具１を固定する。すなわち、図４に示すように、固定ボルト３の十字溝１７にプラスドライバＰＤを差し込んで右回転させることにより、固定ボルト３をその頭部１５が平板部４Ｌに当接するまでねじ込む。これにより、入隅部用内壁パネル固定金具１は、その平板部４Ｌが固定ボルト３の頭部１５によってコーナー添柱７２及び軸組７５に押圧されることにより、建物躯体７７に固定される。尚、図に詳細は示さないが、これと同様にして、コーナー添柱７２に沿って所定間隔毎に複数の入隅部用内壁パネル固定金具１を順次取り付け、固定ボルト３により固定する。
【００３１】
次に、内壁パネル７８の建て込みを行う。すなわち、図５に示すように、内壁パネル７８を、その縦桟８２の屋外側面を前記平板部４Ｌに沿わせるとともに、縦桟８２の切欠き８９に内壁パネル受け片５Ｌを当接させるようにして建て込む。
【００３２】
次に、内壁パネル７８，７９を仮固定する。すなわち、図５に示すように、内壁パネル受け片５Ｌの長穴１１から縦桟８２に仮固定釘ＫＫを打ち込む。この時、仮固定釘ＫＫは、長穴１１の長さ方向中間部に、釘頭が内壁パネル受け片５Ｌに当接しない程度に打ち込んでおく。これにより、内壁パネル７８は、仮固定釘ＫＫが長穴１１に案内される範囲内で、移動が許容された状態となっている。
【００３３】
次に、内壁パネル７８，７９の仕上がり状態を確認する。すなわち、図に詳細は示さないが、下げ振り等を用いて内壁パネル７８の建ちを測定し、水糸等を用いて内壁パネル７８の通りを測定し、これらが予め定められた基準値内に入っているかどうかを確認する。
【００３４】
次に、仕上がり状態に応じて内壁パネル７８の位置を調整する。すなわち、内壁パネル７８の建ち・通りの測定結果が基準値内に入っていない場合、図示しないハンマー等で内壁パネル７８を叩いて屋内側へ若干移動させる。図６に示すように、内壁パネル７８を所望の距離ｄだけ屋内側へ移動させた後、再びその建ち・通りを測定する。測定結果が基準値内に入っていなければ、内壁パネル７８の屋内側への移動と、建ち・通りの測定とを、測定結果が基準値内に入るまで繰り返す。
【００３５】
最後に、内壁パネル７８を本固定する。すなわち、建ち・通りの測定結果が基準値内に入った状態において、図６に示すように、内壁パネル受け片５Ｌの丸穴１０から、縦桟８２に対し、本固定釘ＨＫをその頭部が内壁パネル受け片５Ｌに当接するまで打ち込む。これにより、内壁パネル７８は、入隅部用内壁パネル固定金具１に対して移動不能に固定される。また、前述のように、仮固定釘ＫＫはその頭部が内壁パネル受け片５Ｌより若干浮いた状態であるため、頭部が内壁パネル受け片５Ｌに当接するまで打ち込んでおく。尚、これと同様にして、内壁パネル７９についても内壁パネル受け片５Ｒに固定する。
【００３６】
次に、本発明の第２実施例に係る入隅部用内壁パネル固定金具、及び建物の入隅部における内壁パネルの固定構造について図面に基づいて説明する。図７に示すように、本実施例に係る入隅部Ｉ２は、内壁パネル２１，２２を構成する内壁枠２３が鋼材からなる鋼製内壁枠である点、及び内壁パネル２１，２２を建物躯体７７に固定する入隅部用内壁パネル固定金具２０が鋼製内壁枠に対応した構成となっている点、において第１実施例と相違している。その他の構成は第１実施例と同様であるため同じ符号を用い、ここでは説明を省略する。
【００３７】
前記内壁パネル２１，２２は、図８に示すように、左右一対の縦桟２４の間に複数の横桟２５が架設されることで矩形に枠組みされた内壁枠２３と、該内壁枠２３の屋外側面を覆うようにしてスタッド２６で固定された易変形断熱材２７と、内壁枠２３の屋内側面全体に貼設された防湿シート２８と、を具備してなるものであり、本実施例では、内壁枠２３を、縦桟２４及び横桟２５が鋼材からなる鋼製内壁枠として構成している。この縦桟２４は、図７に示すように、横断面が矩形である角鋼の一隅部に、横桟２５を受けるための横桟受け部２９が突設されるとともに、該横桟受け部２９と対角位置にある隅部に、段落ち部３０が形成されてなるものである。一方、横桟２５は、図に詳細は示さないが、鋼板をＳ字型に曲折してなるものであり、その長手方向両端部を左右の縦桟２４の各横桟受け部２９にそれぞれ当接させて配置され、ビス等により固定されている。
【００３８】
入隅部用内壁パネル固定金具２０は、図９に示すように、１枚の鋼板を打ち抜きおよび曲折加工して形成された金具本体３１と、該金具本体３１に直交するように螺合された固定ボルト３２と、を具備してなるものである。尚、固定ボルト３２は、第１実施例に係る前記固定ボルト３と同じ構成・機能を有するものであり、その説明を省略する。
【００３９】
前記金具本体３１は、図９に示すように、互いに直交する一対の平板部３３Ｌ，３３Ｒと、該平板部３３Ｌ，３３Ｒの最上部から側方へ突出して設けられた一対の挟持片３４Ｌ，３４Ｒと、平板部３３Ｒの先端からその屋外側面方向に延出して形成された嵌着片３５と、平板部３３Ｌ，３３Ｒの基端側に突出して形成された方形突出部３６と、該方形突出部３６から略９０°の角度をなしてその屋内側面方向に突設された内壁パネル受け片３７Ｌ，３７Ｒと、を備えている。ここで、本発明において平板部３３Ｌ，３３Ｒ及び方形突出部３６の屋内側面・屋外側面とは、入隅部用内壁パネル固定金具２０をコーナー添柱７２に取り付けた状態における屋内側の面・屋外側の面を意味している。尚、平板部３３Ｌ，３３Ｒ、挟持片３４Ｌ，３４Ｒ、及び嵌着片３５は、第１実施例に係る入隅部用内壁パネル固定金具１の平板部４Ｌ，４Ｒ、挟持片６Ｌ，６Ｒ、及び嵌着片７と同じ構成であり、その説明を省略する。
【００４０】
方形突出部３６は、図９に示すように、平板部３３Ｌ，３３Ｒの基端側を断面略方形に曲折することにより、平板部３３Ｌ，３３Ｒの屋内側面方向に突出させたものである。一方、内壁パネル受け片３７Ｌ，３７Ｒは、方形突出部３６と平板部３３Ｌ，３３Ｒの一部を屋内側面方向に略９０°切り起こして形成したものである。この内壁パネル受け片３７Ｌ，３７Ｒは、内壁パネル２１，２２の構造に対応して、前記入隅部用内壁パネル固定金具１の内壁パネル受け片５Ｌ，５Ｒよりも長く形成された点以外は、内壁パネル受け片５Ｌ，５Ｒと同様の構成・機能を有するものであり、後述する本固定ビスＨＢを打ち込むための丸穴３８と、仮固定ビスＫＢを打ち込むための長穴３９とがそれぞれ形成されている。
【００４１】
第２実施例に係る入隅部Ｉ２の施工手順については、第１実施例に係る入隅部Ｉ１と同様に、入隅部用内壁パネル固定金具２０のコーナー添柱７２への取り付け・固定作業、内壁パネル２１，２２の建て込み作業、内壁パネル２１，２２の仮固定作業、内壁パネル２１，２２の仕上がり状態の確認作業、内壁パネル２１，２２の位置調整作業、内壁パネル２１，２２の本固定作業、という順に行われる。入隅部用内壁パネル固定金具２０の取り付け・固定作業は、第１実施例と同様であり説明を省略する。また、内壁パネル２１，２２の建て込みに作業に際しては、図７に示すように、内壁パネル２１，２２を、その縦桟２４の側端面を内壁パネル受け片３７Ｌ，３７Ｒの先端部に当接させるようにして建て込む。また、内壁パネル２１，２２の仮固定以降の作業については、図７に示すように、前記仮固定釘ＫＫ及び前記本固定釘ＨＫに替えて仮固定ビスＫＢ及び本固定ビスＨＢを用いる点以外は第１実施例と同様である。
【００４２】
以上述べたように、本発明に係る入隅部用内壁パネル固定金具１,２０によれば、建物の入隅部Ｉ１，Ｉ２において、内壁パネル２１，７８の一端側を建物躯体７７に固定することができ、且つ、その仕上がり状態に応じて内壁パネル２１，７８の位置を微調整しながら固定作業を行えるので、入隅部Ｉ１，Ｉ２において高い精度の仕上がりを達成することが可能となる。尚、入隅部用内壁パネル固定金具１,２０は、本実施例では、入隅部Ｉ１，Ｉ２において内壁パネル２１，７８を建物躯体７７に固定するものとして用いているが、内壁パネル２１，７８に限られず、パネル化された部材をコーナー部に固定し、固定後の位置を微調整するものとして使用することが可能である。
【図面の簡単な説明】
【００４３】
【図１】本発明の第１実施例に係る入隅部Ｉ１の構造を示す概略平面図。
【図２】入隅部用内壁パネル固定金具１の構成を示す概略斜視図。
【図３】入隅部Ｉ１の施工手順を説明するための説明図。
【図４】入隅部Ｉ１の施工手順を説明するための説明図。
【図５】入隅部Ｉ１の施工手順を説明するための説明図。
【図６】入隅部Ｉ１の施工手順を説明するための説明図。
【図７】本発明の第２実施例に係る入隅部Ｉ２の構造を示す概略平面図。
【図８】内壁パネル２１，２２の構成を示す分解斜視図。
【図９】入隅部用内壁パネル固定金具２０の構成を示す概略斜視図。
【図１０】従来例に係る入隅部７０の構造を示す概略平面図。
【図１１】内壁パネル７８，７９の構成を示す分解斜視図。
【図１２】入隅部用内壁パネル固定金具８０の構成を示す概略斜視図。
【符号の説明】
【００４４】
１，２０  入隅部用内壁パネル固定金具
３，３２  固定ボルト
４Ｌ，４Ｒ，３３Ｌ，３３Ｒ  平板部
５Ｌ，５Ｒ，３７Ｌ，３７Ｒ  内壁パネル受け片
６Ｌ，６Ｒ，３４Ｌ，３４Ｒ  挟持片
７，３５  嵌着片
１０，３８  丸穴
１１，３９  長穴
２１，２２，７８，７９  内壁パネル
２３，８４  内壁枠
２７，８７  易変形断熱材
７１  開口
７２  コーナー添柱
７３，７４  間隙
７５，７６  軸組
９６Ｌ，９６Ｒ  リップ部
Ｉ１，Ｉ２  入隅部
ＫＫ  仮固定釘
ＨＫ  本固定釘
【図１】
2006070498.tif 000003
【図２】
2006070498.tif 000004
【図３】
2006070498.tif 000005
【図４】
2006070498.tif 000006
【図５】
2006070498.tif 000007
【図６】
2006070498.tif 000008
【図７】
2006070498.tif 000009
【図８】
2006070498.tif 000010
【図９】
2006070498.tif 000011
【図１０】
2006070498.tif 000012
【図１１】
2006070498.tif 000013
【図１２】
2006070498.tif 000014